(57)【特許請求の範囲】
【請求項１】
ガスバリア性を有する包材で形成された袋状容器本体の内部が引き剥がし可能な弱シール部によって二室に分断され、一方の収納室側に注出部が設けられた二室容器において、上記注出部に臨む一方の収納室が嫌気性剤の収納室とされ、他方の収納室が、上記弱シール部が引き剥がされたときに上記一方の収納室内へと導入されて上記嫌気性剤と混合される液体の収納室とされ、上記注出部には、注出部の内外間を遮断するように延びるガスバリア層が設けられ、
前記注出部は、一方の前記収納室側に取り付けられる筒体と、この筒体の先端部に取り付けられるフランジと、このフランジと嵌合するキャップと、を備え、
前記ガスバリア層は、前記筒体と前記フランジとの間に挟持されつつ、前記筒体の外面に配置されていることを特徴とする二室容器。
【請求項２】
請求項１に記載の二室容器において、袋状容器本体が自立性袋又はガセット袋であり、この自立性袋又はガセット袋の底パネルに注出部が取り付けられたことを特徴とする二室容器。
【請求項３】
請求項１又は請求項２に記載の二室容器において、前記フランジは、周方向外側に突出する凸部を有することを特徴とする二室容器。
【請求項４】
請求項１乃至３のいずれか一項に記載の二室容器において、前記ガスバリア層は、前記筒体の先端において端板となって前記筒体の先端側開口を閉じ、前記筒体の外面に沿って配置されていることを特徴とする二室容器。
【発明の詳細な説明】
【技術分野】
【０００１】
本発明は、例えば医療用容器として使用することができる二室容器に関する。
【背景技術】
【０００２】
ガスバリア性を有する包材で形成された袋状容器本体の内部が引き剥がし可能な弱シール部によって二室に分断され、一方の室側に注出部が設けられた二室容器が知られている（例えば、特許文献１，２，３参照）。
【０００３】
この二室容器は、例えば、注出部に臨む一方の室内に生理食塩水等の液体が収納され、他方の室内に酸素との接触が望ましくない嫌気性の粉状、顆粒状等の薬剤が収納された点滴用容器として使用される。
【０００４】
この二室容器を点滴装置に吊るして静脈注射する場合は、袋状容器本体の弱シール部を引き剥がし、他方の室内の薬剤等を一方の室内へと送り、液体中に溶かして点滴液とする。そして、カテーテルの一方の針を注出部に突き立てて一方の室内へと挿入し、他方の針を患者に刺入し、点滴を開始する。これにより、袋状容器本体内で調合された点滴液は注出部からカテーテルを通って患者の体内に送られる。
【先行技術文献】
【特許文献】
【０００５】
【特許文献１】特開２００５−１６８８１１号公報
【特許文献２】特開２００５−１６８８１０号公報
【特許文献３】国際公開第２００６／０３５７１８号公報
【発明の概要】
【発明が解決しようとする課題】
【０００６】
従来の二室容器は、その袋状容器本体がガスバリア性を有する包材で形成されるが、注出部が樹脂を射出成形することにより作られているので、外気中の酸素が注出部の樹脂を通過して袋状容器本体内に侵入するという問題がある。このため、従来の二室容器においては、注出部に臨む収納室内に酸素が接触しても変質等し難い生理食塩水等の液体が入れられ、他方の収納室内に酸素との接触により変質等しやすい嫌気性の薬剤が入れられる。
【０００７】
ところが、注出部側の収納室内に液体が入れられ、反対側の収納室内に粉状等の薬剤が入れられた場合、点滴操作を行う者が袋状容器本体の弱シール部を引き剥がすのを忘れ、生理食塩水等の液体のみを点滴してしまうというおそれがある。
【０００８】
従って、本発明はこのような問題点を解決することができる二室容器を提供することを目的とする。
【課題を解決するための手段】
【０００９】
上記課題を解決するため、本発明は次のような構成を採用する。
【００１０】
なお、本発明の理解を容易にするため括弧付きの符号を付すが、本発明はこれに限定されるものではない。
【００１１】
すなわち、請求項１に係る発明は、ガスバリア性を有する包材で形成された袋状容器本体の内部が引き剥がし可能な弱シール部（１）によって二室に分断され、一方の収納室（９）側に注出部（８）が設けられた二室容器において、上記注出部（８）に臨む一方の収納室（９）が嫌気性剤の収納室とされ、他方の収納室（１０）が、上記弱シール部（１）が引き剥がされたときに上記一方の収納室（９）内へと導入されて上記嫌気性剤と混合される液体の収納室とされ、上記注出部（８）には、注出部（８）の内外間を遮断するように延びるガスバリア層が設けられ、前記注出部（８）は、一方の前記収納室側に取り付けられる筒体（１１ａ）と、この筒体の先端部に取り付けられるフランジ（１１ｃ）と、このフランジと嵌合するキャップ（１３）と、を備え、前記ガスバリア層は、前記筒体と前記フランジとの間に挟持されつつ、前記筒体の外面に配置されている二室容器を採用する。
【００１２】
請求項２に記載されるように、請求項１に記載の二室容器において、袋状容器本体が自立性袋又はガセット袋であり、この自立性袋又はガセット袋の襠パネル（４）に注出部（８）が取り付けられたものとすることができる。
【００１３】
請求項３に記載されるように、請求項１又は請求項２に記載の二室容器において、前記フランジは、周方向外側に突出する凸部を有するものとすることができる。
【００１４】
請求項４に記載されるように、請求項１乃至３のいずれか一項に記載の二室容器において、前記ガスバリア層は、前記筒体の先端において端板となって前記筒体の先端側開口を閉じ、前記筒体の外面に沿って配置されているものとすることができる。
【発明の効果】
【００１５】
本発明によれば、ガスバリア性を有する包材で形成された袋状容器本体の内部が引き剥がし可能な弱シール部（１）によって二室に分断され、一方の収納室（９）側に注出部（８）が設けられた二室容器において、上記注出部（８）に臨む一方の収納室（９）が嫌気性剤の収納室とされ、他方の収納室（１０）が、上記弱シール部（１）が引き剥がされたときに上記一方の収納室（９）内へと導入されて上記嫌気性剤と混合される液体の収納室とされ、上記注出部（８）には、注出部（８）の内外間を遮断するように延びるガスバリア層が設けられ、前記注出部（８）は、一方の前記収納室側に取り付けられる筒体（１１ａ）と、この筒体の先端部に取り付けられるフランジ（１１ｃ）と、このフランジと嵌合するキャップ（１３）と、を備え、前記ガスバリア層は、前記筒体と前記フランジとの間に挟持されつつ、前記筒体の外面に配置されたものであるから、注出部（８）に臨む収納室（９）内に嫌気性剤を収納し、反対側の収納室（１０）内に液体を収納しても、注出部（８）を容器内へと透過しようとする外気はガスバリア層によって遮断されるので、注出部（８）側に収納された薬剤等の劣化は未然に防止される。また、弱シール部（１）を引き剥がすことなく注出部（８）から液体を注出しようとしても液体が出てこないので、弱シール部（１）が引き剥がされていないことが直ちに分かり、従来発生していた液体のみを注出するという誤操作を未然に防止することができる。
【図面の簡単な説明】
【００１６】
【図１】本発明に係る二室容器の一例の斜視図である。
【図２】図１に示す二室容器の底面図である。
【図３】図２に示す注出部近傍の拡大断面図である。
【図４】図３に示す箇所の部分拡大図である。
【図５】本発明に係る二室容器の他の例の底面図である。
【図６】図５に示す注出部近傍の拡大断面図である。
【図７】図６に示す箇所の部分拡大図である。
【発明を実施するための形態】
【００１７】
以下、図面を参照して本発明を実施するための形態について説明する。
【００１８】
＜実施の形態１＞
図１に示すように、この二室容器は、袋状容器本体を有し、この袋状容器本体の内部が、引き剥がし可能な弱シール部１によって二室に分断される。
【００１９】
袋状容器本体は、ガスバリア性を有するフィルム状又はシート状の包材で形成される。包材としては、従来良く知られたガスバリア層を含んだ多層フィルム等を用いることができる。多層フィルムとしては、例えばアルミニウム箔を樹脂フィルムでサンドイッチしたもの、樹脂フィルムに金属を蒸着したもの等がある。
【００２０】
袋状容器本体は、図１及び図２に示すように、自立性袋として構成される。例えば、上記包材で作られた前後パネル２，３間に同様な包材で作られた襠パネル４を山折り状に挿入し、前後パネル２，３の左右の側縁同士、前後パネル２，３と襠パネル４の左右の側縁同士、及び襠パネル４の左右の側縁同士をそれぞれヒートシール部５，６で接合することにより形成される。このように袋状容器本体の全体が上記包材で作られる結果、袋状容器本体は全体としてガスバリア性を付与される。
【００２１】
弱シール部１は、例えば上記ヒートシール部５，６，７におけるよりも低温度かつ低圧力で前後パネル２，３同士を熱プレスすることによって形成される。
【００２２】
図１及び図２に示すように、袋状容器本体である自立性袋の襠パネル４には、注出部８が設けられる。注出部８は、自立性袋を立体状に膨張させる際に拡開する襠パネル４に取り付けられる。
【００２３】
袋状容器本体である自立性袋の内部は、上記注出部８に臨む一方の収納室９が嫌気性剤の収納室とされ、他方の収納室１０が、上記弱シール部１が引き剥がされたときに上記他方の収納室１０から一方の収納室９内へと導入されて上記嫌気性剤と混合される液体の収納室とされる。
【００２４】
嫌気性剤は酸素との接触により酸化、変質、吸湿等し易いものであり、一般に粉状、粒状、顆粒状を呈する。より具体的には、嫌気性剤は薬剤のほかビタミン剤、茶、インスタントコーヒー等である。このような嫌気性剤が上記注出部８側の収納室９内に入れられ、弱シール部１によって他方の収納室１０内から遮断される。液体は、生理食塩水のほかブドウ糖液、水等であり、このような液体が弱シール部１によって隔てられた反対側の収納室１０内に入れられ密封される。
【００２５】
図３及び図４に示すように、上記注出部８は、筒体１１ａと、筒体１１ａの基端側に設けられるフランジ１１ｂと、筒体１１ａの先端側に設けられるフランジ１１ｃとを具備し、射出成形樹脂により一体成形される。
【００２６】
また、注出部８には、注出部８の内外間を遮断するように延びるガスバリア層が設けられる。ガスバリア層は、例えば金属箔であるアルミニウム箔、ガスバリア性フィルム等で構成される。アルミニウム箔等は単独では破断しやすいので、例えばポリプロピレン樹脂フィルムでサンドイッチ状に積層したガスバリア材として取り扱われる。
【００２７】
図３及び図４中、符号１２はガスバリア層を含んだガスバリア材を示す。このガスバリア材１２は、例えばＰＰ（ポリプロピレン樹脂）／ＡＬ（アルミニウム箔）／ＰＰ、ＰＰ／アルミニウム蒸着ＰＥＴ（ポリエチレンテレフタレート）／ＰＰ等の積層フィルム又はシートとして構成される。
【００２８】
ガスバリア材１２は次のようにして上記射出成形樹脂と一体化される。
【００２９】
すなわち、ガスバリア材１２がカップ状に深絞り成形されたうえで図示しない射出成形金型の雄型に被せられ、溶融樹脂が金型内に射出される。これにより、図３及び図４に示すように、ガスバリア材１２が射出成形樹脂の内面に付着した注出部８が成形される。
【００３０】
この注出部８の成形体において、ガスバリア材１２は、注出部８の筒体先端において端板１２ａを呈して筒体１１ａの先端の開口を閉じ、端板１２ａの回りから筒体１１ａの内面に沿って基端側フランジ１１ｂの中ほどへと延びている。これにより、注出部８にガスバリア性が付与され、注出部８の外側から注出部８の内側への酸素等の通過が防止される。
【００３１】
なお、ガスバリア材１２は、深絞り成形に限らず、筒体１１ａ及び基端側フランジ１１ｂに対応する箇所を襞状に折り込むことによっても成形することができる。
【００３２】
図３及び図４に示すように、上記注出部８の筒体１１ａの先端には、キャップ１３が被せられる。
【００３３】
このキャップ１３は、天板１３ａと、天板１３ａの回りから垂下する垂下壁１３ｂとを具備する。キャップ１３の内面はゴム製のパッキン１４で覆われる。キャップ１３の天板１３ａの中央には穴１３ｃが穿設され、この穴１３ｃがパッキン１４によって覆われる。また、パッキン１４は垂下壁１３ｂを覆う箇所においてアンダーカット部１４ａを有する。このアンダーカット部１４ａに注出部８における筒体１１ａの先端側フランジ１１ｃが嵌め込まれることによって、キャップ１３が筒体１１ａの先端に固定される。
【００３４】
なお、キャップ１３の垂下壁１３ｂの内面に雌ネジを形成し、注出部８の筒体１１ａの外面に雄ネジを形成することで、キャップ１３を注出部８に螺着させることも可能である。
【００３５】
上記注出部８は、図４に示すように、その基端側フランジ１１ｂを利用して上記袋状容器本体の襠パネル４に取り付けられる。
【００３６】
すなわち、襠パネル４に穴４ａが穿設され、この穴４ａに注出部８が袋状容器本体の内側から挿入され、基端側フランジ１１ｂが襠パネル４の内面に当てられて接着される。この接着には、例えば熱接着又は超音波接着が使用される。
【００３７】
図３及び図４に示すように、ガスバリア材１２が注出部８の内面側に配置されることから、アルミニウム箔の端面が袋状容器本体内に露出することがないよう、ガスバリア材１２がフランジ１１ｂに重なる箇所には、その上から被覆材１５が貼着され、アルミニウム箔の端面が覆われる。この被覆材１５としては、例えばポリプロピレン樹脂のフィルム又はシートをリング状に打ち抜いたものを使用することができる。あるいは、注出部８を再び金型にインサートし、射出成形により上記被覆材１５に該当する部分を形成することでアルミニウム端面を被覆するようにしてもよい。
【００３８】
次に、上記構成の二室容器の作用について説明する。
【００３９】
（１）図１に示す二室容器であって上端のヒートシール部７と弱シール部１とが未シールのものを用意する。
【００４０】
（２）嫌気性剤である粉末状等の薬剤を二室容器における袋状容器本体の未シール部から注出部８側の収納室９に投入する。次いで、弱シール部１をシールし、注出部８側の収納室９を密封する。
【００４１】
（３）袋状容器本体の未シール部から生理食塩水等の液体を弱シール部１で区画された収納室１０に充填する。この液体の収納室１０は嫌気性剤の収納室９と弱シール部１によって遮断されているので、両者が混じり合うことはない。次いで、未シール部をシールしてヒートシール部７を形成し、液体の収納室１０を密封する。
【００４２】
これにより、二室容器による包装体が例えば点滴用バッグとして完成する。この二室容器の袋状容器本体はガスバリア性を有する包材で形成されていることから、包装体の保管、搬送中において袋状容器本体内への外気の侵入が阻止され、従って、生理食塩水等の液体や嫌気性剤は酸化等から保護される。
【００４３】
また、注出部８にはガスバリア層が設けられていることから、外気は注出部８の射出成形樹脂を通って袋状容器本体内へ侵入しようとしてもガスバリア層によって遮断され、従って、嫌気性剤は注出部８側の収納室９に収納されているにも拘らず酸化等から適正に保護される。
【００４４】
（４）二室容器による包装体が点滴用バッグである場合、その使用に際しては袋状容器本体の中間部にある弱シール部１が作業者によって引き剥がされる。
【００４５】
これにより、液体の収納室１０内から嫌気性剤の収納室９内へと液体が流入し、嫌気性剤と液体とが混じり合って点滴液とされる。
【００４６】
（５）点滴用バッグが作業者によって図示しない点滴装置に吊るされ、図示しないカテーテルの一方の針が注出部におけるパッキン１４とガスバリア材１２の端板１２ａとの双方に突き立てられることによって袋状容器本体内へと挿入される。また、カテーテルの他方の針が患者に刺入される。
【００４７】
これにより点滴が開始され、袋状容器本体内で調合された点滴液が注出部８からカテーテルを通って患者の体内に送られる。
【００４８】
上記説明から明らかなように、弱シール部１を剥がすことなく上記点滴を行おうとすると、点滴液が注出部８から流出することはないので、作業者は直ちに操作ミスを認識することができる。従って、従来のような生理食塩水等の液体のみを患者に点滴するような事態は未然に防止される。
【００４９】
なお、二室容器を飲料用等として用いる場合は、例えば嫌気性剤の収納室９内にインスタントコーヒーの粉末等が入れられ、液体の収納室１０内には水等が入れられる。また、注出部８には例えば穴１３ｃが穿設されていないキャップ１３が被せられる。使用者によって弱シール部１が引き剥がされると、インスタントコーヒーの粉末が水に溶かされてコーヒー飲料とされる。そして、使用者によって注出部８からキャップ１３が除去され、ガスバリア材１２の端板１２ａが破られることにより、注出部８からコーヒー飲料が袋状容器本体外に注出可能となる。
【００５０】
＜実施の形態２＞
図５乃至図７に示すように、この実施の形態２では、実施の形態１とは構造が異なる注出部が採用される。
【００５１】
この注出部８は、筒体１１ａと、筒体１１ａの基端側に設けられるフランジ１１ｂと、筒体１１ａの先端側に設けられるフランジ１１ｃとを具備し、筒体１１ａと基端側フランジ１１ｂは射出成形樹脂により一体成形され、先端側フランジ１１ｃは筒体１１ａとは別体として射出成形樹脂により成形される。
【００５２】
また、注出部８には、注出部８の内外間を遮断するように延びるガスバリア層が設けられるが、このガスバリア層はガスバリア材１２として上記射出成形樹脂と一体化される。
【００５３】
すなわち、ガスバリア材１２がカップ状に深絞り成形されたうえで図示しない射出成形金型の雌型内に挿入され、雌雄型が結合される。金型の雄型には予め上記筒体１１ａと基端側フランジ１１ｂに対応する凹部が形成され、雌型には予め先端側フランジ１１ｃに対応する凹部が形成されている。そこで、上記雌雄型の凹部内に溶融樹脂が射出され、図６及び図７に示すように、射出成形樹脂からなる筒体１１ａ及び基端側フランジ１１ｂの外面にガスバリア材１２が付着し、ガスバリア材１２の先端の外周面に先端側フランジ１１ｃが付着した注出部８が形成される。
【００５４】
この注出部８の成形体において、ガスバリア材１２は、注出部８における筒体１１ａの先端において端板１２ａとなって筒体１１ａの先端を閉じ、端板１２ａの回りから筒体１１ａの外面に沿って基端側フランジ１１ｂの中ほどへと延びている。これにより、注出部８にガスバリア性が付与され、注出部８の外側から注出部８の内側への酸素等の通過が防止される。
【００５５】
図６及び図７に示すように、上記注出部８の筒体１１ａの先端には、キャップ１３が被せられる。このキャップ１３のアンダーカット部１４ａに筒体１１ａの先端側フランジ１１ｃが嵌め込まれることによって、キャップ１３が筒体１１ａの先端に固定される。
【００５６】
上記注出部８は、図７に示すように、その基端側フランジ１１ｂを利用して上記袋状容器本体の襠パネル４に取り付けられる。
【００５７】
すなわち、襠パネル４に穴４ａが穿設され、この穴４ａに注出部８が袋状容器本体の内側から挿入され、基端側フランジ１１ｂが襠パネル４の内面に当てられて接着される。この接着には、例えば熱接着又は超音波接着が使用される。
【００５８】
図７に示すように、ガスバリア材１２におけるアルミニウム箔の端面が袋状容器本体外に露出することがないよう、襠パネル４の穴４ａの周縁部がフランジ１１ｂ上においてガスバリア材１２の上に被せられ接着される。このとき、ガスバリア材１２とフランジ１１ｂとが同時に襠パネル４の内面に接着され、そのため注出部８のガスバリア性が維持されるとともに、ガスバリア材１２の端面が外部に露出することはない。
【００５９】
なお、本発明は上記実施の形態に限定されるものではなく、例えば、上記実施の形態１，２では袋状本体を自立性袋として説明したが、ガセット袋等他の構造を有する袋であってもよい。
【符号の説明】
【００６０】
１…弱シール部
４…襠パネル
８…注出部
９…嫌気性剤の収納室
１０…液体の収納室
１１ａ…筒体
【図１】
0006047920.tif 000002
【図２】
0006047920.tif 000003
【図３】
0006047920.tif 000004
【図４】
0006047920.tif 000005
【図５】
0006047920.tif 000006
【図６】
0006047920.tif 000007
【図７】
0006047920.tif 000008